(57)【要約】【課題】操作性を向上させる。【解決手段】塗布容器１０は、容器本体１１と、容器本体１１の口部２１に装着され、連通孔が形成された中栓１２と、口部２１に外装され、中栓１２との間に計量室を形成する有頂筒状の塗布栓本体１３と、計量室に、塗布栓本体１３の頂壁部側に向けて移動自在に配設され、連通孔を開放自在に閉塞する連通栓１４と、計量室に、容器本体１１の底壁部２３側に向けて移動自在に配設され、前記頂壁部に形成された吐出孔を開放自在に閉塞する吐出栓１５と、吐出栓１５に立設された塗布部材１６と、連通栓１４を前記底壁部２３側に向けて付勢し、吐出栓１５を前記頂壁部側に向けて付勢する付勢部材１７と、連通栓１４から前記底壁部２３側に向けて延在する操作部材１８と、を備え、操作部材１８は、容器本体１１の底壁部２３に設けられ、前記頂壁部側に押し込まれることで前記頂壁部側に変位する変位部２６に、近接または当接している。【選択図】図１
2014009013.tif 000002
【特許請求の範囲】
【請求項１】
被塗布部に塗布される内容物が収容される有底筒状の容器本体と、
前記容器本体の口部に装着され、前記容器本体内に連通する連通孔が形成された中栓と、
前記口部に前記中栓を覆うように外装され、前記中栓との間に、前記連通孔を通して前記容器本体内に連通する計量室を形成する有頂筒状の塗布栓本体と、
前記計量室に、容器軸方向に沿う容器本体の底壁部側に向けた移動が規制された状態で、容器軸方向に沿う塗布栓本体の頂壁部側に向けて移動自在に配設され、前記連通孔を開放自在に閉塞する連通栓と、
前記計量室に、前記頂壁部側に向けた移動が規制された状態で、前記底壁部側に向けて移動自在に配設され、前記塗布栓本体の頂壁部に形成され前記計量室内に連通する吐出孔を、開放自在に閉塞する吐出栓と、
前記吐出栓に立設され、前記吐出孔内に挿通されて前記塗布栓本体の頂壁部よりも外部に突出する塗布部材と、
前記連通栓と前記吐出栓との間に配設され、前記連通栓を前記底壁部側に向けて付勢するとともに、前記吐出栓を前記頂壁部側に向けて付勢する付勢部材と、
前記連通栓から前記底壁部側に向けて延在する操作部材と、を備え、
前記操作部材は、前記容器本体の底壁部に設けられ、前記頂壁部側に押し込まれることで前記頂壁部側に変位する変位部に、近接または当接していることを特徴とする塗布容器。
【請求項２】
請求項１記載の塗布容器であって、
前記中栓には、前記口部上に配置されるとともに前記連通孔が形成された中栓基部と、前記中栓基部から前記底壁部側に向けて延在し、前記容器本体内と前記計量室内とを連通する連通筒部と、が備えられ、
前記連通栓は、前記中栓基部上に、前記頂壁部側に向けて離反自在に着座して、前記連通孔と、前記連通筒部における前記頂壁部側の開口部と、を開放自在に閉塞することを特徴とする塗布容器。
【請求項３】
請求項１または２に記載の塗布容器であって、
前記計量室の内周面および前記連通栓の外周面のうち、いずれか一方には、容器軸方向に延在する凹部と凸部とが周方向に交互に配置された凹凸部が設けられ、いずれか他方は、前記連通栓が容器軸方向に移動するときに、前記凸部と互いに摺動することを特徴とする塗布容器。
【発明の詳細な説明】
【技術分野】
【０００１】
本発明は、塗布容器に関する。
【背景技術】
【０００２】
従来から、計量された内容物を被塗布部に塗布する塗布容器として、例えば下記特許文献１に示すような構成が知られている。この塗布容器は、容器体と、計量塗布栓本体と、栓棒と、キャップと、を備えている。容器体には内容物が収容される。計量塗布栓本体は筒状に形成されている。計量塗布栓本体の下端部は、容器体の口部に装着されている。計量塗布栓本体の上端部はノズル筒とされている。計量塗布栓本体における下端部と上端部との間の中間部には、上方に向けて開口する環状計量筒が、この計量塗布栓本体と同軸に設けられている。栓棒は、上方付勢状態でノズル筒内に挿通されている。キャップは、有頂筒状に形成され、計量塗布栓本体に着脱自在に装着されている。キャップが計量塗布栓本体に装着された状態では、栓棒が、キャップにより下方に向けて押し込まれるとともに、容器体内と環状計量筒内とが連通している。
【０００３】
前記塗布容器では、計量塗布栓本体にキャップを装着した状態で、塗布容器を倒立姿勢にした後、塗布容器を正立姿勢に戻すことで、環状計量筒内を内容物で満たして内容物を計量する。その後、計量塗布栓本体からキャップを離脱させると、栓棒が上昇して容器体内と環状計量筒内との連通を遮断する。そこで、容器本体を再び倒立姿勢にするとともに、被塗布部に栓棒を押し当てることで、被塗布部に内容物を塗布する。
【先行技術文献】
【特許文献】
【０００４】
【特許文献１】特開２００２−２５５２２０号公報
【発明の概要】
【発明が解決しようとする課題】
【０００５】
ここで前記従来の塗布容器には、操作性を向上させることについて改善の余地がある。
【０００６】
本発明は、前述した事情に鑑みてなされたものであって、操作性を向上させることができる塗布容器を提供することを目的とする。
【課題を解決するための手段】
【０００７】
前記課題を解決するために、本発明は以下の手段を提案している。
本発明に係る塗布容器は、被塗布部に塗布される内容物が収容される有底筒状の容器本体と、前記容器本体の口部に装着され、前記容器本体内に連通する連通孔が形成された中栓と、前記口部に前記中栓を覆うように外装され、前記中栓との間に、前記連通孔を通して前記容器本体内に連通する計量室を形成する有頂筒状の塗布栓本体と、前記計量室に、容器軸方向に沿う容器本体の底壁部側に向けた移動が規制された状態で、容器軸方向に沿う塗布栓本体の頂壁部側に向けて移動自在に配設され、前記連通孔を開放自在に閉塞する連通栓と、前記計量室に、前記頂壁部側に向けた移動が規制された状態で、前記底壁部側に向けて移動自在に配設され、前記塗布栓本体の頂壁部に形成され前記計量室内に連通する吐出孔を、開放自在に閉塞する吐出栓と、前記吐出栓に立設され、前記吐出孔内に挿通されて前記塗布栓本体の頂壁部よりも外部に突出する塗布部材と、前記連通栓と前記吐出栓との間に配設され、前記連通栓を前記底壁部側に向けて付勢するとともに、前記吐出栓を前記頂壁部側に向けて付勢する付勢部材と、前記連通栓から前記底壁部側に向けて延在する操作部材と、を備え、前記操作部材は、前記容器本体の底壁部に設けられ、前記頂壁部側に押し込まれることで前記頂壁部側に変位する変位部に、近接または当接していることを特徴とする。
【０００８】
この発明では、内容物を被塗布部に塗布するときに、塗布容器を、容器本体の口部が鉛直下方を向く倒立姿勢にした状態で、容器本体の底壁部の変位部を、前記頂壁部側に押し込む。すると、この変位部および操作部材を介し、連通栓が、付勢部材の付勢力に抗して前記頂壁部側に押し込まれ、中栓の連通孔が開放される。これにより、連通孔を通して容器本体内と計量室内とが連通されて、容器本体内の内容物が計量室内に流入する。
計量室内が内容物で満たされた後、容器本体の前記変位部の押し込みを解除すると、付勢部材の付勢力により、連通栓および操作部材が前記底壁部側に復元移動させられ、連通栓により中栓の連通孔が閉塞される。これにより、連通孔を通した容器本体内と計量室内との連通が遮断され、計量室内に一定量の内容物が収容されて内容物が計量される。
そして、塗布部材を被塗布部に押し当てて前記底壁部側に押し込むと、この塗布部材とともに、吐出栓が、付勢部材の付勢力に抗して前記底壁部側に押し込まれ、塗布栓本体の吐出孔が開放される。これにより、計量室内の内容物が吐出孔を通して外部に流出し、被塗布部に塗布される。
【０００９】
以上のように、この塗布容器によれば、塗布容器を倒立姿勢にした状態で、容器本体の前記変位部の押し込みおよびその解除をした後、塗布部材を被塗布部に押し当てることで、計量された内容物を被塗布部に塗布することができる。したがって、塗布容器を倒立姿勢に維持した状態で、内容物の計量から吐出まですることが可能になり、計量された内容物を被塗布部に塗布するに際し、例えば倒立姿勢を正立姿勢に戻す作業が必須である塗布容器などに比べて、操作性を向上させることができる。
また付勢部材が、連通栓および吐出栓の両方を付勢しているので、部品点数の増加を抑えることが可能になり、組み立て作業の簡便化および低コスト化も図ることができる。
【００１０】
また、前記中栓には、前記口部上に配置されるとともに前記連通孔が形成された中栓基部と、前記中栓基部から前記底壁部側に向けて延在し、前記容器本体内と前記計量室内とを連通する連通筒部と、が備えられ、前記連通栓は、前記中栓基部上に、前記頂壁部側に向けて離反自在に着座して、前記連通孔と、前記連通筒部における前記頂壁部側の開口部と、を開放自在に閉塞してもよい。
【００１１】
この場合、連通栓が、中栓基部から前記頂壁部側に向けて離反し、中栓の連通孔が開放されたときに、中栓の連通筒部における前記頂壁部側の開口部も開放され、容器本体内と計量室内とが、連通孔および連通筒部内の両方を通して連通される。
このように、連通栓が前記頂壁部側に移動し、中栓の連通孔が開放されたときに、容器本体内と計量室内とが、連通孔および連通筒部内の両方を通して連通されるので、容器本体内の内容物が計量室内に流入するときに、計量室内の空気を、容器本体内に流出させ易くすることができる。これにより、容器本体内の内容物を計量室内に円滑に流入させることが可能になり、操作性を確実に向上させることができる。
【００１２】
また、前記計量室の内周面および前記連通栓の外周面のうち、いずれか一方には、容器軸方向に延在する凹部と凸部とが周方向に交互に配置された凹凸部が設けられ、いずれか他方は、前記連通栓が容器軸方向に移動するときに、前記凸部と互いに摺動してもよい。
【００１３】
この場合、連通栓が容器軸方向に移動するときに、計量室の内周面および連通栓の外周面のうち、いずれか一方に設けられた凸部と、いずれか他方と、が互いに摺動し、連通栓の容器軸方向に沿った移動が案内される。またこのとき、連通孔と計量室内とが、凹部を通して連通される。
このように、連通栓が容器軸方向に移動するときに、連通栓の容器軸方向に沿った移動が案内されつつ、連通孔と計量室内とが、凹部を通して連通されるので、容器本体の前記変位部を前記頂壁部側に円滑に押し込むとともに、容器本体内の内容物を計量室内に円滑に流入させることが可能になり、操作性を確実に向上させることができる。
【発明の効果】
【００１４】
本発明に係る塗布容器によれば、操作性を向上させることができる。
【図面の簡単な説明】
【００１５】
【図１】本発明の一実施形態に係る塗布容器の半縦断面図である。
【図２】図１に示す塗布容器の要部の半縦断面図である。
【図３】図１に示す塗布容器の作用を説明する半縦断面図である。
【図４】図１に示す塗布容器の作用を説明する半縦断面図である。
【図５】本発明の一変形例に係る塗布容器の半縦断面図である。
【発明を実施するための形態】
【００１６】
以下、図面を参照し、本発明の一実施形態に係る塗布容器を説明する。
図１に示すように、塗布容器１０は、容器本体１１と、中栓１２と、塗布栓本体１３と、連通栓１４と、吐出栓１５と、塗布部材１６と、付勢部材１７と、操作部材１８と、キャップ１９と、を備えている。
【００１７】
ここで、容器本体１１は有底筒状に形成され、塗布栓本体１３は、容器本体１１の口部２１に外装された有頂筒状に形成され、これらの容器本体１１および塗布栓本体１３の各中心軸は共通軸上に配置されている。以下、この共通軸を容器軸Ｏといい、容器軸Ｏ方向に沿って塗布栓本体１３の頂壁部３７側を上側、容器本体１１の底壁部２３側を下側という。また、容器軸Ｏに直交する方向を径方向といい、容器軸Ｏ回りに周回する方向を周方向という。
【００１８】
容器本体１１には、被塗布部Ａに塗布される内容物が収容される。容器本体１１は、上方に向けて開口する口部２１と、口部２１よりも下方に位置する胴部２２と、胴部２２の下端開口部を閉塞する底壁部２３と、を備えている。口部２１と胴部２２とは一体に形成され、これらの口部２１と胴部２２との連結体である第１連結体２４は、容器軸Ｏ方向の両側に向けて開口する筒状に形成されている。
【００１９】
底壁部２３は、第１連結体２４とは別体に形成されている。底壁部２３の外周縁部には、胴部２２の下端部に外装された装着筒部２８が立設されている。底壁部２３と装着筒部２８とは一体に形成され、これらの底壁部２３と装着筒部２８との連結体である第２連結体２９は、有底筒状に形成されている。
底壁部２３は、接地部２５と、変位部２６と、連結変形部２７と、を備えている。これらの接地部２５、変位部２６および連結変形部２７は、いずれも容器軸Ｏと同軸に配置されている。接地部２５、変位部２６および連結変形部２７は一体に成形されている。
【００２０】
接地部２５は、表裏面が容器軸Ｏ方向を向く環板状に形成されている。接地部２５上には、容器軸Ｏと同軸に配置された環状のパッキン３０が配置されている。パッキン３０は、接地部２５と胴部２２の下端縁との間に、容器軸Ｏ方向に挟まれている。
変位部２６は、上方に押し込まれることで上方に変位する。変位部２６は、接地部２５の径方向の内側に配置されている。変位部２６は、表裏面が容器軸Ｏ方向を向く環板状に形成されている。変位部２６の容器軸Ｏ方向の位置は、接地部２５の容器軸Ｏ方向の位置と同等とされている。
【００２１】
連結変形部２７は、変位部２６の外周縁部と接地部２５の内周縁部とを連結している。連結変形部２７は、表裏面が容器軸Ｏ方向を向く環板状に形成されている。連結変形部２７は、容器軸Ｏ方向に弾性変形可能とされ、変位部２６が上方に押し込まれたとき、上方に向けて弾性変形して変位部２６を弾性変位させる。
連結変形部２７は、底壁部２３のうち、この連結変形部２７以外の部分である接地部２５および変位部２６よりも薄肉に形成されている。連結変形部２７は、この塗布容器１０の縦断面視において、径方向に延在しながら容器軸Ｏ方向に交互に湾曲している。連結変形部２７は、前記縦断面視において上方に向けて凸となる環状の第１湾曲部分２７ａと、前記縦断面視において下方に向けて環状の凸となる第２湾曲部分２７ｂと、が径方向に交互に連結されてなる。図示の例では、連結変形部２７には、両湾曲部分２７ａ、２７ｂが１つずつ設けられ、第１湾曲部分２７ａが径方向の内側に位置し、第２湾曲部分２７ｂが径方向の外側に位置している。
【００２２】
図２に示すように、中栓１２は、容器本体１１の口部２１に装着される。中栓１２には、容器本体１１の口部２１上に配置された中栓基部３１と、中栓基部３１から下方に向けて延設され、口部２１内に嵌合されたシール筒部３２と、中栓基部３１から下方に向けて延在する連通筒部３３と、中栓基部３１に立設された立ち上がり筒部３４と、が備えられている。これらのうち、中栓基部３１、シール筒部３２および立ち上がり筒部３４は、いずれも容器軸Ｏと同軸に配置されている。中栓基部３１、シール筒部３２、連通筒部３３および立ち上がり筒部３４は、一体に形成されている。
【００２３】
中栓基部３１は、表裏面が容器軸Ｏ方向を向く板状に形成されている。中栓基部３１の外周縁部は、容器本体１１の口部２１の開口端縁上に配置され、中栓基部３１は、口部２１を上方から覆っている。中栓基部３１には、容器本体１１内に連通する連通孔３５が形成されている。連通孔３５は、容器軸Ｏ方向に開口している。連通孔３５は、容器軸Ｏと同軸に配置されている。
【００２４】
連通筒部３３は、中栓基部３１において、シール筒部３２よりも径方向の内側に位置する部分から、下方に向けて延設されている。連通筒部３３は、容器軸Ｏに対して径方向にずらされている。連通筒部３３は、周方向に間隔をあけて複数配置されている。周方向に隣り合う連通筒部３３同士の間隔は、互いに同等とされている。連通筒部３３は、容器軸Ｏを径方向に挟んで一対配置されている。連通筒部３３は、容器軸Ｏ方向の両側に向けて開口し、連通筒部３３内は、容器本体１１内と、後述する計量室４０内と、を連通する。
【００２５】
立ち上がり筒部３４は、この塗布容器１０を容器軸Ｏ方向から見た平面視において、全ての連通筒部３３を径方向の外側から囲っている。立ち上がり筒部３４は、容器本体１１の口部２１よりも小径となっており、中栓基部３１の外周縁部は、立ち上がり筒部３４よりも径方向の外側に突出している。
【００２６】
塗布栓本体１３は、容器本体１１の口部２１に、中栓１２を覆うように外装されている。塗布栓本体１３の周壁部３６は、下方から上方に向けて段状に縮径している。この周壁部３６は、大径部３６ａ、中径部３６ｂおよび小径部３６ｃを備える３段の筒状に形成されている。大径部３６ａは、容器本体１１の口部２１に嵌合され、図示の例ではいわゆるアンダーカット嵌合されている。中径部３６ｂは、中栓１２の立ち上がり筒部３４に外嵌している。大径部３６ａと中径部３６ｂとを連結する下段部３６ｄは、容器本体１１の口部２１の開口端縁との間に、中栓１２の中栓基部３１の外周縁部を挟み込んでいる。中径部３６ｂと小径部３６ｃとを連結する上段部３６ｅは、中栓１２の立ち上がり筒部３４の開口端縁に上方から近接または当接している。
【００２７】
塗布栓本体１３の頂壁部３７は、前記縦断面視において上方に向けて凸となるように膨出している。この頂壁部３７には、内容物を吐出する吐出孔３８が形成されている。吐出孔３８は、容器軸Ｏ方向に開口している。吐出孔３８は、容器軸Ｏと同軸に配置されている。吐出孔３８は、塗布栓本体１３の頂壁部３７から上方に向けて突出する吐出筒３９の内部とされている。
吐出孔３８は、塗布栓本体１３と中栓１２との間に形成される計量室４０に連通する。計量室４０は、連通孔３５を通して容器本体１１内に連通する。
【００２８】
連通栓１４は、計量室４０に、下方に向けた移動が規制された状態で、上方に向けて移動自在に配設されている。連通栓１４は、連通孔３５を開放自在に閉塞する。連通栓１４は、中栓基部３１上に、上方に向けて離反自在に着座して、連通孔３５と、中栓１２の連通筒部３３において上側に位置する開口部３３ａと、を開放自在に閉塞する。連通栓１４は、中栓１２上に配置された連通栓基部４１と、連通栓基部４１に立設されたガイド筒部４２と、を備えている。これらの連通栓基部４１およびガイド筒部４２は、いずれも容器軸Ｏと同軸に配置されている。連通栓基部４１およびガイド筒部４２は、一体に形成されている。連通栓基部４１は、表裏面が容器軸Ｏ方向を向く板状に形成されている。連通栓基部４１は、連通孔３５と連通筒部３３の前記開口部３３ａとを上方から覆っている。
【００２９】
計量室４０の内周面および連通栓１４の外周面のうち、いずれか一方には、容器軸Ｏ方向に延在する凹部４３ａと凸部４３ｂとが周方向に交互に配置された凹凸部４３が設けられ、いずれか他方は、連通栓１４が容器軸Ｏ方向に移動するときに、凸部４３ｂと互いに摺動する。凹凸部４３は、計量室４０の内周面に設けられている。凹凸部４３は、周方向の全周にわたって形成されている。凹凸部４３は、中栓１２の立ち上がり筒部３４の内周面に配置されている。凸部４３ｂは、立ち上がり筒部３４の内周面に、容器軸Ｏ方向に延在する縦リブ状に形成され、凹部４３ａは、立ち上がり筒部３４の内周面において、周方向に隣り合う凸部４３ｂ同士の間に位置する部分とされている。連通栓１４の連通栓基部４１は、凹凸部４３内に容器軸Ｏ方向に摺動自在に嵌合され、連通栓基部４１の外周面は、凸部４３ｂに径方向の内側から近接または当接している。連通栓基部４１の外周面は、この連通栓１４が容器軸Ｏ方向に移動するときに、凸部４３ｂと互いに摺動する。
【００３０】
吐出栓１５は、計量室４０に、上方に向けた移動が規制された状態で、下方に向けて移動自在に配設されている。吐出栓１５は、吐出孔３８を開放自在に閉塞する。吐出栓１５は、塗布栓本体１３の頂壁部３７に、下方に向けて離反可能に着座している。吐出栓１５は、塗布栓本体１３の頂壁部３７に下方から当接する吐出栓基部４４と、吐出栓基部４４から下方に向けて延在するガイド軸部４５と、を備えている。これらの吐出栓基部４４およびガイド軸部４５は、いずれも容器軸Ｏと同軸に配置されている。吐出栓基部４４およびガイド軸部４５は、一体に形成されている。
【００３１】
吐出栓基部４４は、表裏面が容器軸Ｏ方向を向く板状に形成されている。吐出栓基部４４は、吐出孔３８を下方から覆っている。
ガイド軸部４５は、連通栓１４のガイド筒部４２内に挿通されている。ガイド軸部４５は、ガイド筒部４２内に容器軸Ｏ方向に摺動自在に嵌合されている。ガイド軸部４５は、上側から下側に向けて段状に縮径している。ガイド軸部４５は、上側の大外径部４５ａと下側の小外径部４５ｂとが連結段部４５ｃを介して連結されてなり、このガイド軸部４５のうち、大外径部４５ａがガイド筒部４２内に摺動自在に嵌合されている。大外径部４５ａの外周面は、ガイド筒部４２の内周面に径方向の内側から近接または当接している。
【００３２】
付勢部材１７は、連通栓１４と吐出栓１５との間に配設され、連通栓１４を下方に向けて付勢するとともに、吐出栓１５を上方に向けて付勢している。付勢部材１７は、連通栓１４と吐出栓１５との間で、容器軸Ｏ方向に圧縮するように弾性変形させられている。付勢部材１７は、連通栓１４のガイド筒部４２内に配置され、連通栓１４の連通栓基部４１と、吐出栓１５のガイド軸部４５と、の間に容器軸Ｏ方向に挟み込まれている。付勢部材１７は、連通栓１４および吐出栓１５とは別体に形成され、図示の例ではコイルスプリングにより構成されている。付勢部材１７の上端は、ガイド軸部４５の連結段部４５ｃに当接している。
塗布部材１６は、吐出栓１５に立設され、塗布栓本体１３の吐出孔３８内に挿通されて塗布栓本体１３の頂壁部３７よりも外部に突出している。塗布部材１６は、容器軸Ｏと同軸に延在する棒状に形成されている。塗布部材１６は、吐出栓１５と一体に形成されている。
【００３３】
吐出孔３８の内周面および塗布部材１６の外周面のうち、いずれか一方には、容器軸Ｏ方向に延在する凹形状部４６ａと凸形状部４６ｂとが周方向に交互に配置された凹凸形状部４６が設けられ、いずれか他方は、塗布部材１６が容器軸Ｏ方向に移動するときに、凸形状部４６ｂと互いに摺動する。凹凸形状部４６は、塗布部材１６の外周面に設けられている。凹凸形状部４６は、周方向の全周にわたって形成されている。凹形状部４６ａおよび凸形状部４６ｂはそれぞれ、塗布部材１６の容器軸Ｏ方向の全長にわたって延在している。塗布部材１６は、吐出孔３８内に容器軸Ｏ方向に摺動自在に嵌合され、塗布部材１６の外周面は、吐出孔３８の内周面に径方向の内側から近接または当接している。凹形状部４６ａは、塗布部材１６の外周面に、容器軸Ｏ方向に延在する縦溝状に形成され、凸形状部４６ｂは、塗布部材１６の外周面において、周方向に隣り合う凹形状部４６ａ同士の間に位置する部分とされている。凸形状部４６ｂは、塗布部材１６が容器軸Ｏ方向に移動するときに、吐出孔３８の内周面と互いに摺動する。
【００３４】
キャップ１９は、容器軸Ｏと同軸に配置された有頂筒状に形成され、容器本体１１の口部２１に、塗布栓本体１３を覆うように着脱可能に装着されている。キャップ１９と塗布部材１６とは容器軸Ｏ方向に離間しており、キャップ１９は、塗布部材１６を下方に向けて押し込んでいない。
図１に示すように、操作部材１８は、連通栓１４から下方に向けて延在している。操作部材１８は、容器軸Ｏと同軸に延在する棒状に形成されている。操作部材１８は、連通栓１４と一体に形成されている。操作部材１８は、連通孔３５内に挿通されている。操作部材１８の外周面と連通孔３５の内周面との間には、周方向の全周にわたって延在する環状隙間が設けられている。
そして本実施形態では、操作部材１８は、容器本体１１の底壁部２３の前記変位部２６に近接または当接している。
【００３５】
前記塗布容器１０では、内容物を被塗布部Ａに塗布するときに、図３に示すように、キャップ１９を離脱させるとともに、塗布容器１０を、容器本体１１の口部２１が鉛直下方を向く倒立姿勢にした状態で、容器本体１１の底壁部２３の変位部２６を、容器軸Ｏ方向に沿う塗布栓本体１３の頂壁部３７側に押し込む。すると、この変位部２６および操作部材１８を介し、連通栓１４が、付勢部材１７の付勢力に抗して前記頂壁部３７側に押し込まれ、前記頂壁部３７側に移動する。
このとき、吐出栓１５のガイド軸部４５が、中栓１２のガイド筒部４２内を容器軸Ｏ方向に相対的に摺動するとともに、凹凸部４３の凸部４３ｂと、連通栓１４の連通栓基部４１の外周面と、が互いに摺動することで、連通栓１４の容器軸Ｏ方向に沿った移動が案内される。連通栓１４の前記頂壁部３７側への移動は、連通栓１４が押し込み端位置まで移動させられ、連通栓基部４１と吐出栓１５のガイド軸部４５とが当接することで規制される。なお、連通栓１４が前記頂壁部３７側に移動を開始してから押し込み端位置まで移動させられるまで、ガイド軸部４５が、ガイド筒部４２内を容器軸Ｏ方向に相対的に摺動するとともに、凹凸部４３の凸部４３ｂと連通栓１４の外周面とが互いに摺動し、連通栓１４の容器軸Ｏ方向の移動が継続して案内される。
【００３６】
このように連通栓１４が、前記頂壁部３７側に移動し、中栓基部３１から前記頂壁部３７側に向けて離反することで、中栓１２の連通孔３５と、中栓１２の連通筒部３３における前記開口部３３ａと、が開放される。すると、連通孔３５および連通筒部３３内が、凹凸部４３の凹部４３ａを通して計量室４０内に連通し、容器本体１１内と計量室４０内とが、連通孔３５および連通筒部３３内の両方を通して連通される。凹凸部４３の凹部４３ａは、連通栓１４が押し込み端位置まで移動させられた状態で、連通孔３５および連通筒部３３と計量室４０内とを連通している。
これにより、計量室４０内の空気が容器本体１１内に流出されつつ、容器本体１１内の内容物が計量室４０内に流入される。このとき例えば、連通孔３５および連通筒部３３内のうち、連通孔３５を容器本体１１内の内容物が優先的に流通し、連通筒部３３内を計量室４０内の空気が優先的に流通してもよい。
【００３７】
計量室４０内が内容物で満たされた後、容器本体１１の前記変位部２６の押し込みを解除すると、図４に示すように、付勢部材１７の付勢力により、連通栓１４および操作部材１８が、容器軸Ｏ方向に沿う容器本体１１の底壁部２３側に復元移動させられ、連通栓１４により、連通孔３５および連通筒部３３の前記開口部３３ａが閉塞される。これにより、連通孔３５を通した容器本体１１内と計量室４０内との連通が遮断され、計量室４０内に一定量の内容物が収容されて内容物が計量される。
【００３８】
そして、塗布部材１６を被塗布部Ａに押し当てて前記底壁部２３側に押し込むと、この塗布部材１６とともに、吐出栓１５が、付勢部材１７の付勢力に抗して前記底壁部２３側に押し込まれ、塗布栓本体１３の吐出孔３８が開放される。これにより、計量室４０内の内容物が吐出孔３８を通して外部に流出し、被塗布部Ａに塗布される。なおこのとき、塗布部材１６を前記底壁部２３側に押し込むことで、仮に中栓基部３１における連通孔３５の開口周縁部が前記底壁部２３側に変位し、中栓基部３１の外周縁部が前記頂壁部３７側に変位しようとしても、この変位は、塗布栓本体１３の前記下段部３６ｄおよび前記上段部３６ｅにより規制される。
【００３９】
以上説明したように、本実施形態に係る塗布容器１０によれば、塗布容器１０を倒立姿勢にした状態で、容器本体１１の前記変位部２６の押し込みおよびその解除をした後、塗布部材１６を被塗布部Ａに押し当てることで、計量された内容物を被塗布部Ａに塗布することができる。したがって、塗布容器１０を倒立姿勢に維持した状態で、内容物の計量から吐出まですることが可能になり、計量された内容物を被塗布部Ａに塗布するに際し、例えば倒立姿勢を正立姿勢に戻す作業が必須である塗布容器などに比べて、操作性を向上させることができる。
また付勢部材１７が、連通栓１４および吐出栓１５の両方を付勢しているので、部品点数の増加を抑えることが可能になり、組み立て作業の簡便化および低コスト化も図ることができる。
【００４０】
また、連通栓１４が前記頂壁部３７側に移動し、中栓１２の連通孔３５が開放されたときに、容器本体１１内と計量室４０内とが、連通孔３５および連通筒部３３内の両方を通して連通されるので、容器本体１１内の内容物が計量室４０内に流入するときに、計量室４０内の空気を、容器本体１１内に流出させ易くすることができる。これにより、容器本体１１内の内容物を計量室４０内に円滑に流入させることが可能になり、操作性を確実に向上させることができる。
さらに、連通栓１４が容器軸Ｏ方向に移動するときに、連通栓１４の容器軸Ｏ方向に沿った移動が案内されつつ、連通孔３５と計量室４０内とが、凹部４３ａを通して連通されるので、容器本体１１の前記変位部２６を前記頂壁部３７側に円滑に押し込むとともに、容器本体１１内の内容物を計量室４０内に円滑に流入させることが可能になり、操作性を確実に向上させることができる。
【００４１】
なお、本発明の技術的範囲は前記実施形態に限定されるものではなく、本発明の趣旨を逸脱しない範囲において種々の変更を加えることが可能である。
例えば、キャップ１９はなくてもよい。
【００４２】
また中栓１２は前記実施形態に示されるものに限られない。例えば中栓に、シール筒部、連通筒部および立ち上がり筒部が備えられておらず、中栓が中栓基部のみにより構成されていてもよい。
さらに塗布栓本体１３は前記実施形態に示されるものに限られない。例えば塗布栓本体の周壁部が段状に縮径せず、容器軸方向の全長にわたって同径であってもよい。また塗布栓本体１３の頂壁部３７が、前記縦断面視において上方に向けて凸となるように膨出していなくてもよく、例えば前記縦断面視において径方向に真っ直ぐ延在する平板状に形成されていてもよい。さらにまた吐出筒３９内が吐出孔３８とされていなくてもよく、例えば塗布栓本体の頂壁部を容器軸方向に貫通する貫通孔を吐出孔としてもよい。
【００４３】
また前記実施形態では、連通栓１４にガイド筒部４２が備えられ、吐出栓１５にガイド軸部４５が備えられているものとしたが、これに限られない。例えば、連通栓にガイド軸部が備えられ、吐出栓にガイド筒部が備えられていてもよい。つまり、連通栓および吐出栓のうち、いずれか一方に、いずれか他方に向けて突出するガイド筒部が備えられ、いずれか他方に、いずれか一方に向けて突出し、ガイド筒部内に容器軸方向に摺動可能に嵌合されたガイド軸部が備えられていてもよい。また、これらのガイド筒部およびガイド軸部はなくてもよく、例えば付勢部材が、連通栓の連通栓基部と、吐出栓の吐出栓基部と、の間に容器軸方向に挟み込まれていてもよい。
さらに前記実施形態では、付勢部材１７は、連通栓１４および吐出栓１５とは別体に形成されているものとしたが、これに限られない。例えば図５に示す塗布容器５０のように、付勢部材１７が、連通栓１４および吐出栓１５と一体に形成されていてもよい。図示の例では、付勢部材１７はいわゆる樹脂バネにより構成されている。
【００４４】
また凹凸部４３は、前記実施形態に示したものに限られない。
つまり前記実施形態では、凸部４３ｂが、立ち上がり筒部３４の内周面に、容器軸Ｏ方向に延在する縦リブ状に形成され、凹部４３ａが、立ち上がり筒部３４の内周面において、周方向に隣り合う凸部４３ｂ同士の間に位置する部分とされているが、これに限られない。例えば凹部が、立ち上がり筒部の内周面に、容器軸方向に延在する縦溝状に形成され、凸部が、立ち上がり筒部の内周面において、周方向に隣り合う凸部同士の間に位置する部分とされていてもよい。
また前記実施形態では、凹凸部４３が、中栓１２の立ち上がり筒部３４の内周面に配置されているものとしたが、計量室４０の内周面に設けられていれば、これに限られない。例えば、中栓に立ち上がり筒部が備えられていない場合、塗布栓本体の前記中径部の内周面に凹凸部が設けられていてもよい。
さらに前記実施形態では、凹凸部４３が計量室４０の内周面に設けられているものとしたが、これに限られない。例えば、連通栓の外周面に凹凸部が設けられ、連通栓が容器軸方向に移動するときに、計量室の内周面が凸部と互いに摺動してもよい。
さらにまた、例えば凹凸部４３がなく、計量室の内周面と連通栓の外周面との間に、内容物が流通可能な隙間が設けられた構成としてもよい。
【００４５】
また凹凸形状部４６は、前記実施形態に示したものに限られない。
つまり前記実施形態では、凹形状部４６ａが、塗布部材１６の外周面に、容器軸Ｏ方向に延在する縦溝状に形成され、凸形状部４６ｂが、塗布部材１６の外周面において、周方向に隣り合う凹形状部４６ａ同士の間に位置する部分とされているが、これに限られない。例えば凸形状部が、塗布部材の外周面に、容器軸方向に延在する縦リブ状に形成され、凹形状部が、塗布部材の外周面において、周方向に隣り合う凹形状部同士の間に位置する部分とされていてもよい。
さらに前記実施形態では、凹凸形状部４６が塗布部材１６の外周面に設けられているものとしたが、これに限られない。例えば、吐出孔の内周面に凹凸形状部が設けられ、塗布部材が容器軸方向に移動するときに、塗布部材の外周面が凸形状部と互いに摺動してもよい。
さらにまた、例えば凹凸形状部４６がなく、吐出孔の内周面と塗布部材の外周面との間に、内容物が流通可能な隙間が設けられた構成としてもよい。
【００４６】
また前記実施形態では、変位部２６が押し込まれたときに、連結変形部２７が容器軸Ｏ方向に弾性変形して変位部２６を弾性変位させるものとしたが、これに限られない。
例えば、連結変形部が、この連結変形部の外周縁部を起点として容器軸方向に反転変形可能に形成され、変位部が上方に押し込まれたときに、連結変形部が容器軸方向に反転変形して変位部を変位させてもよい。
さらに例えば、底壁部の接地部内が、容器軸方向に弾性変形可能な弾性膜体により構成され、この弾性膜体により変位部が構成されてもよい。つまり変位部は、押し込まれたときに、変位部自身が変形することで変位するように構成されていてもよい。
また容器本体１１の口部２１、胴部２２および底壁部２３は一体に形成されていてもよい。
【００４７】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４８】
Ａ  被塗布部
Ｏ  容器軸
１０、５０  塗布容器
１１  容器本体
１２  中栓
１３  塗布栓本体
１４  連通栓
１５  吐出栓
１６  塗布部材
１７  付勢部材
１８  操作部材
２１  口部
２３  底壁部
２６  変位部
３１  中栓基部
３３  連通筒部
３３ａ  開口部
３５  連通孔
３７  頂壁部
３８  吐出孔
４０  計量室
４３  凹凸部
４３ａ  凹部
４３ｂ  凸部
【図１】
2014009013.tif 000003
【図２】
2014009013.tif 000004
【図３】
2014009013.tif 000005
【図４】
2014009013.tif 000006
【図５】
2014009013.tif 000007